(57)【要約】【課題】遊技に対する興趣の向上を図ることができる遊技機を提供すること。【解決手段】パチスロ（１）のメインＲＯＭ（３２）は、リプレイが内部当籤役として決定される確率がそれぞれ異なる一般遊技状態用内部抽籤テーブルと、ＲＴ作動中用内部抽籤テーブルとを備える。パチスロ（１）のメインＣＰＵ（３１）は、内部抽籤テーブルをＲＴ作動中用内部抽籤テーブルに切り換えているとき、内部当籤役としてＢＢ１が決定されると、内部抽籤テーブルを一般遊技状態用内部抽籤テーブルに切り換える。また、内部抽籤テーブルをＲＴ作動中用内部抽籤テーブルに切り換えているとき、計数手段により１００回の単位遊技が計数されると、内部抽籤テーブルを一般遊技状態用内部抽籤テーブルに切り換える。【選択図】図２０
2010193963.tif 000002
【特許請求の範囲】
【請求項１】
複数種類の図柄を変動表示及び停止表示することが可能な複数の図柄表示手段と、
予め定めた複数の役から内部当籤役を決定するための内部当籤役決定情報であって、特定役が内部当籤役として決定される確率が異なる第１内部当籤役決定情報、及び第２内部当籤役決定情報を含む複数の内部当籤役決定情報が格納される内部当籤役決定情報格納手段と、
前記内部当籤役決定情報を切り換える切換手段と、
単位遊技の始動条件を満たしたことに応じて、前記切換手段によって切り換えられた内部当籤役決定情報に基づいて内部当籤役を決定する内部抽籤手段と、
複数の前記図柄表示手段のそれぞれに対応して設けられ、遊技者の停止操作を受け付ける停止操作手段と、
遊技者により前記停止操作手段が操作されることに応じて、操作された前記停止操作手段に対応する前記図柄表示手段で変動表示する図柄の停止を指令する停止指令信号を出力する停止指令手段と、
前記切換手段により切り換えられた内部当籤役決定情報と前記停止指令信号とに応じて、対応する前記図柄表示手段における図柄の変動表示を停止する停止制御手段と、
前記内部抽籤手段により内部当籤役として第１の役が決定されることを条件に、当該第１の役に対応する第１の図柄組合せが前記複数の図柄表示手段により停止表示されるまでの間、前記第１の役を内部当籤役として持ち越す第１持越手段と、
前記内部抽籤手段により内部当籤役として第２の役が決定されることを条件に、当該第２の役に対応する第２の図柄組合せが前記複数の図柄表示手段により停止表示されるまでの間、前記第２の役を内部当籤役として持ち越す第２持越手段と、
前記複数の図柄表示手段により前記第１の図柄組合せ、又は、前記第２の図柄組合せが停止表示されてから、所定の終了条件が満たされるまでの間、遊技者にとって有利な状態の作動を行う特別遊技状態作動手段と、
前記切換手段により前記内部当籤役決定情報を前記第２内部当籤役決定情報から前記第１内部当籤役決定情報に切り換えてから行われる単位遊技の回数を計数する計数手段と、
を備え、
前記切換手段は、
前記内部当籤役決定情報を前記第１内部当籤役決定情報に切り換えているとき、前記内部抽籤手段により内部当籤役として前記第１の役が決定されると、前記内部当籤役決定情報を前記第２内部当籤役決定情報に切り換え、
前記内部当籤役決定情報を前記第１内部当籤役決定情報に切り換えているとき、前記計数手段により所定の回数の単位遊技が計数されると、前記内部当籤役決定情報を前記第２内部当籤役決定情報に切り換えることを特徴とする遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、「メダル等」という）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロと呼ばれる遊技機が知られている。
【０００３】
このような遊技機では、所定回数の単位遊技に亘って、リプレイが内部当籤役として決定される確率が高いリプレイタイム（以下、ＲＴという）が行われる遊技機が提供されている（例えば、特許文献１参照）。この遊技機によれば、ＲＴ中に所定回数の単位遊技が行われるか、又は、ボーナスの作動に係るＢＢが内部当籤役として決定された場合にはＲＴが終了する。したがって、ＲＴの終了を通じてボーナスが行われるということを遊技者に対し報知することができる。
【先行技術文献】
【特許文献】
【０００４】
【特許文献１】特開２００９−５９８３号公報
【発明の概要】
【発明が解決しようとする課題】
【０００５】
しかし、このような遊技機では、ＲＴが所定回数の単位遊技の消化により終了した場合には、ＢＢが内部当籤役として決定されなかったということが確定してしまうため、遊技者のボーナスに対する興趣が低下していた。また、ＢＢが内部当籤役として決定した場合であっても、所定回数の単位遊技の全てが消化できるまでＲＴを継続することとすると、単調な遊技が延々と継続することとなっていた。このため、遊技者の遊技に対する倦怠を招き、ひいては遊技に対する興趣の低下を招くこととなっていた。そこで、遊技に対する興趣の向上を図ることができる遊技機の提供が求められている。
【０００６】
本発明の目的は、遊技に対する興趣の向上を図ることが可能な遊技機を提供することである。
【課題を解決するための手段】
【０００７】
本発明では、以下のようなものを提供する。
【０００８】
（１）  複数種類の図柄を変動表示及び停止表示することが可能な複数の図柄表示手段（例えば、後述の図柄表示領域２１Ｌ，２１Ｃ，２１Ｒ等）と、予め定めた複数の役から内部当籤役を決定するための内部当籤役決定情報（例えば、後述の内部抽籤テーブル等）であって、特定役（例えば、後述のリプレイ）が内部当籤役として決定される確率が異なる第１内部当籤役決定情報（例えば、後述のＲＴ作動中用内部抽籤テーブル等）、及び第２内部当籤役決定情報（例えば、後述の一般遊技状態用内部抽籤テーブル等）を含む複数の内部当籤役決定情報が格納される内部当籤役決定情報格納手段（例えば、後述のメインＲＯＭ３２、後述のメインＣＰＵ３１等）と、前記内部当籤役決定情報を切り換える切換手段（例えば、後述のメインＣＰＵ３１等）と、単位遊技（例えば、後述の１回の遊技）の始動条件を満たしたことに応じて、前記切換手段によって切り換えられた内部当籤役決定情報に基づいて内部当籤役を決定する内部抽籤手段（例えば、後述のメインＣＰＵ３１等）と、複数の前記図柄表示手段のそれぞれに対応して設けられ、遊技者の停止操作を受け付ける停止操作手段（例えば、後述のストップボタン７Ｌ，７Ｃ，７Ｒ等）と、遊技者により前記停止操作手段が操作されることに応じて、操作された前記停止操作手段に対応する前記図柄表示手段で変動表示する図柄の停止を指令する停止指令信号を出力する停止指令手段（例えば、後述のストップスイッチ７Ｓ等）と、前記切換手段により切り換えられた内部当籤役決定情報と前記停止指令信号とに応じて、対応する前記図柄表示手段における図柄の変動表示を停止する停止制御手段（例えば、後述の図１７のＳ９の処理を行う手段、後述のメインＣＰＵ３１等）と、前記内部抽籤手段により内部当籤役として第１の役（例えば、後述のＢＢ１）が決定されることを条件に、当該第１の役に対応する第１の図柄組合せ（例えば、後述の「赤７−赤７−赤７」）が前記複数の図柄表示手段により停止表示されるまでの間、前記第１の役を内部当籤役として持ち越す第１持越手段（例えば、後述の図１９のＳ７６の処理を行う手段、後述のメインＣＰＵ３１等）と、前記内部抽籤手段により内部当籤役として第２の役（例えば、後述のＢＢ２）が決定されることを条件に、当該第２の役に対応する第２の図柄組合せ（例えば、後述の「青７−青７−青７」）が前記複数の図柄表示手段により停止表示されるまでの間、前記第２の役を内部当籤役として持ち越す第２持越手段（例えば、後述図１９のＳ７６の処理を行う手段、後述のメインＣＰＵ３１等）と、前記複数の図柄表示手段により前記第１の図柄組合せ、又は、前記第２の図柄組合せが停止表示されてから、所定の終了条件（例えば、後述の図１７のＳ１６の処理を行う手段、後述のメインＣＰＵ３１等）が満たされるまでの間、遊技者にとって有利な状態の作動を行う特別遊技状態作動手段（例えば、後述の図２５のＳ１３２の処理を行う手段、後述のメインＣＰＵ３１等）と、前記切換手段により前記内部当籤役決定情報を前記第２内部当籤役決定情報から前記第１内部当籤役決定情報に切り換えてから行われる単位遊技の回数を計数する計数手段（例えば、後述の図１７のＳ６の処理を行う手段、後述の���インＣＰＵ３１等）と、を備え、前記切換手段は、前記内部当籤役決定情報を前記第１内部当籤役決定情報に切り換えているとき、前記内部抽籤手段により内部当籤役として前記第１の役が決定されると、前記内部当籤役決定情報を前記第２内部当籤役決定情報に切り換え、前記内部当籤役決定情報を前記第１内部当籤役決定情報に切り換えているとき、前記計数手段により所定の回数の単位遊技が計数されると、前記内部当籤役決定情報を前記第２内部当籤役決定情報に切り換えることを特徴とする遊技機。
【０００９】
（１）記載の遊技機によれば、特別遊技状態作動手段は、複数の図柄表示手段により第１の図柄組合せ、又は、第２の図柄組合せが停止表示されてから、所定の終了条件が満たされるまでの間、遊技者にとって有利な状態の作動を行う。計数手段は、切換手段により内部当籤役決定情報を第２内部当籤役決定情報から第１内部当籤役決定情報に切り換えてから行われる単位遊技の回数を計数する。そして、切換手段は、内部当籤役決定情報を前記第１内部当籤役決定情報に切り換えているとき、内部当籤役として第１の役が決定されると、内部当籤役決定情報を第２内部当籤役決定情報に切り換える。また、切換手段は、内部当籤役決定情報を第１内部当籤役決定情報に切り換えているとき、計数手段により所定の回数の単位遊技が計数されると、内部当籤役決定情報を第２内部当籤役決定情報に切り換える。
【００１０】
このため、内部当籤役決定情報は、遊技者にとって有利な状態の作動が行われる契機となる第１の役が内部当籤役として決定されるか、又は、所定の回数の単位遊技が計数された場合に切り換えられる。また、有利な状態の作動が行われる契機となる役は第１の役、及び第２の役の２種類存在する。
【００１１】
このため、内部当籤役決定情報を第１内部当籤役決定情報に切り換えているときに、所定の回数の単位遊技が全て行われた場合であっても、第２の役が内部当籤役として決定している場合もある。また、内部当籤役決定情報を第１内部当籤役決定情報に切り換えているときに、所定の回数の単位遊技の全てが行われていない場合であっても、第１の役が内部当籤役として決定した場合には、内部当籤役決定情報が切り換えられる。
【００１２】
したがって、遊技者は、内部当籤役決定情報が切り換えられずに所定の回数の単位遊技の全てが行われた場合であっても、もしかしたら、遊技者にとって有利な状態の作動が行われる契機となる第２の役が内部当籤役として決定しているかも知れない、という遊技者の遊技に対する期待感を向上させることができる。
【００１３】
また、第１の役が内部当籤役として決定した場合には、所定の回数の単位遊技が全て行われていない場合であっても内部当籤役決定情報が切り換えられることから、同一の内部当籤役決定情報による遊技が継続することから生ずる遊技者の遊技に対する倦怠を抑制することができる。これにより、遊技者の遊技に対する興趣の向上を図ることができる。
【発明の効果】
【００１４】
本発明によれば、遊技に対する興趣の向上を図ることができる。
【図面の簡単な説明】
【００１５】
【図１】パチスロの機能フローを示す図である。
【図２】パチスロの外部構造を示す図である。
【図３】パチスロの内部構造を示す図である。
【図４】主制御回路の構成を示す図である。
【図５】副制御回路の構成を示す図である。
【図６】図柄配置テーブルを示す図である。
【図７】図柄組合せテーブルを示す図である。
【図８】ボーナス作動時テーブルを示す図である。
【図９】一般遊技状態用内部抽籤テーブルを示す図である。
【図１０】ＲＴ作動中用内部抽籤テーブルを示す図である。
【図１１】ＲＢ作動中用内部抽籤テーブルを示す図である。
【図１２】小役・リプレイ用内部当籤役決定テーブルを示す図である。
【図１３】ボーナス用内部当籤役決定テーブルを示す図である。
【図１４】内部当籤役格納領域の構成を説明するための図である。
【図１５】持越役格納領域の構成を説明するための図である。
【図１６】作動中フラグ格納領域の構成を説明するための図である。
【図１７】メインＣＰＵの制御によるメインフローチャートである。
【図１８】メダル受付・スタートチェック処理を示すフローチャートである。
【図１９】内部抽籤処理を示すフローチャートである。
【図２０】図１９に続くフローチャートである。
【図２１】内部抽籤テーブル変更処理を示すフローチャートである。
【図２２】ＲＴ遊技数カウンタ（メイン）更新処理を示すフローチャートである。
【図２３】リール停止制御処理を示すフローチャートである。
【図２４】ＲＴ作動図柄チェック処理を示すフローチャートである。
【図２５】ボーナス作動チェック処理を示すフローチャートである。
【図２６】ボーナス終了チェック処理を示すフローチャートである。
【図２７】割込処理を示すフローチャートである。
【図２８】サブＣＰＵにより行われる主基板通信タスクを示すフローチャートである。
【図２９】サブＣＰＵにより行われる演出登録タスクを示すフローチャートである。
【図３０】サブＣＰＵにより実行される演出内容決定処理を示すフローチャートである。
【図３１】別実施例の表示例を示す図である。
【発明を実施するための形態】
【００１６】
［パチスロの機能フロー］
本発明の遊技機に係る実施の形態について、以下図面を参照しながら説明する。はじめに、図１を参照して、本実施の形態における遊技機（以下、パチスロ）１の機能フローについて説明する。
【００１７】
遊技者によりメダルが投入され、スタートレバー６が操作されると、予め定められた数値の範囲（例えば、０〜６５５３５）の乱数から１つの値（以下、乱数値）が抽出される。
【００１８】
内部抽籤手段（後述のメインＣＰＵ３１）は、抽出された乱数値に基づいて抽籤を行い、リプレイが内部当籤役として決定される確率がそれぞれ異なる一般遊技状態用内部抽籤テーブルと、ＲＴ作動中用内部抽籤テーブルとを含む内部抽籤テーブルの中から決定した一の内部抽籤テーブルに基づいて内部当籤役を決定する。内部当籤役の決定により、後述の入賞判定ラインに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。ボーナスの作動に係る図柄の組合せの種別としては、ＢＢ１に対応する「赤７−赤７−赤７」と、ＢＢ２に対応する「青７−青７−青７」と、がある。
【００１９】
続いて、複数のリール３Ｌ，３Ｃ，３Ｒの回転が行われた後で、遊技者によりストップボタン７Ｌ，７Ｃ，７Ｒが押されると、リール停止制御手段（後述のモータ駆動回路３９、後述のステッピングモータ４９Ｌ，４９Ｃ，４９Ｒ）は、内部当籤役とストップボタンが押されたタイミングとに基づいて、該当するリールの回転を停止する制御を行う。
【００２０】
ここで、パチスロ１では、基本的に、ストップボタンが押されたときから規定時間（１９０ｍｓｅｃ）内に、該当するリールの回転を停止する制御が行われる。本実施の形態では、上記規定時間内でのリール３Ｌ，３Ｃ，３Ｒの回転に伴って移動する図柄の数を「滑り駒数」と呼び、その最大数を図柄４個分に定める。
【００２１】
リール停止制御手段は、入賞に係る図柄の組合せの表示を許可する内部当籤役が決定されているときでは、上記規定時間を利用して、その図柄の組合せが入賞判定ラインに沿って極力表示されるようにリール３Ｌ，３Ｃ，３Ｒの回転を停止する。その一方で、内部当籤役によってその表示が許可されていない図柄の組合せについては、上記規定時間を利用して、入賞判定ラインに沿って表示されることがないようにリール３Ｌ，３Ｃ，３Ｒの回転を停止する。
【００２２】
計数手段は、内部抽籤テーブルが一般遊技状態用内部抽籤テーブルからＲＴ作動中用内部抽籤テーブルに切り換えてから行われる単位遊技の回数を計数する。そして、切換手段は、内部抽籤テーブルをＲＴ作動中用内部抽籤テーブルに切り換えているとき、内部当籤役としてＢＢ１が決定されると、内部抽籤テーブルを一般遊技状態用内部抽籤テーブルに切り換える。また、切換手段は、内部抽籤テーブルをＲＴ作動中用内部抽籤テーブルに切り換えているとき、計数手段により１００回の単位遊技が計数されると、内部抽籤テーブルを一般遊技状態用内部抽籤テーブルに切り換える。
【００２３】
こうして、複数のリール３Ｌ，３Ｃ，３Ｒの回転が全て停止されると、入賞判定手段（後述のメインＣＰＵ３１）は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００２４】
また、パチスロ１では、前述した一連の流れの中で、液晶表示装置５により行う映像の表示、ランプ１４により行う光の出力、スピーカ９Ｌ，９Ｒにより行う音の出力、或いはこれらの組合せを利用して様々な演出が行われる。
【００２５】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段（後述のサブＣＰＵ８１）は、内部当籤役に対応づけられた複数種類の演出内容の中から今回実行するものを抽籤により決定する。
【００２６】
演出内容が決定されると、演出実行手段（後述の液晶表示装置５、後述のスピーカ９Ｌ，９Ｒ、後述のランプ１４）は、リール３Ｌ，３Ｃ，３Ｒの回転が開始されるとき、各リール３Ｌ，３Ｃ，３Ｒの回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００２７】
［パチスロの構造］
パチスロ１の機能フローについての説明は以上である。次に、図２及び図３を参照して、本実施の形態におけるパチスロ１の構造について説明する。
【００２８】
＜パチスロの外部構造＞
図２は、本実施の形態におけるパチスロ１の外部構造を示す。
【００２９】
（リールと表示窓）
パチスロ１は、リール３Ｌ，３Ｃ，３Ｒや回路基板等を収容するキャビネット１ａと、キャビネット１ａに対して開閉可能に取り付けられるフロントドア２とを備える。キャビネット１ａの内部には、３つのリール３Ｌ，３Ｃ，３Ｒが横並びに設けられている。各リール３Ｌ，３Ｃ，３Ｒは、円筒状のフレームの周面に、複数の図柄（例えば２１個）が回転方向に沿って連続的に配された帯状のシートを貼り付けて構成されている。
【００３０】
フロントドア２の中央には、液晶表示装置５が設けられている。液晶表示装置５は、図柄表示領域２１Ｌ，２１Ｃ，２１Ｒを含む表示画面５ａを備え、正面から見て３つのリール３Ｌ，３Ｃ，３Ｒに重畳する手前側に位置するように設けられている。図柄表示領域２１Ｌ，２１Ｃ，２１Ｒは、３つのリール３Ｌ，３Ｃ，３Ｒのそれぞれに対応して設けられており、その背後に設けられたリール３Ｌ，３Ｃ，３Ｒを透過することが可能な構成を備えている。
【００３１】
つまり、図柄表示領域２１Ｌ，２１Ｃ，２１Ｒは、表示窓としての機能を果たすものであり、その背後に設けられたリール３Ｌ，３Ｃ，３Ｒの回転及びその停止の動作が遊技者側から視認可能となる。また、本実施の形態では、図柄表示領域２１Ｌ，２１Ｃ，２１Ｒを含めた表示画面５ａの全体を使って、映像の表示が行われ、演出が実行される。
【００３２】
図柄表示領域（以下、表示窓）２１Ｌ，２１Ｃ，２１Ｒは、その背後に設けられたリール３Ｌ，３Ｃ，３Ｒの回転が停止されたとき、リール３Ｌ，３Ｃ，３Ｒの表面に配された複数種類の図柄のうち、その枠内における上段、中段及び下段の各領域にそれぞれ１個の図柄（合計で３個）を表示する。また、各表示窓２１Ｌ，２１Ｃ，２１Ｒが有する上段、中段及び下段からなる３つの領域のうち予め定められた何れかをそれぞれ組合せてなる擬似的なラインを、入賞か否かの判定を行う対象となるライン（入賞判定ライン）として定義する。
【００３３】
本実施の形態では、各表示窓２１Ｌ，２１Ｃ，２１Ｒの上段を組合せてなるトップライン８ｂ、各表示窓２１Ｌ，２１Ｃ，２１Ｒの中段を組合せてなるセンターライン８ｃ、各表示窓２１Ｌ，２１Ｃ，２１Ｒの下段を組合せてなるボトムライン８ｄ、左表示窓２１Ｌの上段、中表示窓２１Ｃの中段及び右表示窓２１Ｒの下段を組合せてなるクロスダウンライン８ｅ、左表示窓２１Ｌの下段、中表示窓２１Ｃの中段及び右表示窓２１Ｒの上段を組合せてなるクロスアップライン８ａの５つを入賞判定ラインとして設けている。
【００３４】
（操作装置）
フロントドア２には、遊技者による操作の対象となる各種装置が設けられている。メダル投入口１０は、遊技者によって外部から投下されるメダルを受け入れるために設けられる。メダル投入口１０に受け入れられたメダルは、所定枚数（例えば３枚）を上限として１回の遊技に投入されることとなり、所定枚数を超えた分はパチスロ１内部に預けることが可能となる（いわゆるクレジット機能）。
【００３５】
ベットボタン１１は、パチスロ１内部に預けられているメダルから１回の遊技に投入する枚数を決定するために設けられる。精算ボタン１２は、パチスロ１内部に預けられているメダルを外部に引き出すために設けられる。
【００３６】
スタートレバー６は、全てのリール３Ｌ，３Ｃ，３Ｒの回転を開始するために設けられる。ストップボタン７Ｌ，７Ｃ，７Ｒは、３つのリール３Ｌ，３Ｃ，３Ｒのそれぞれに対応づけられ、対応するリール３Ｌ，３Ｃ，３Ｒの回転を停止するために設けられる。
【００３７】
（その他装置）
７セグ表示器１３は、７セグメントＬＥＤからなり、今回の遊技に投入されたメダルの枚数（以下、投入枚数）、特典として遊技者に対して払い出すメダルの枚数（以下、払出枚数）、パチスロ１内部に預けられているメダルの枚数（以下、クレジット枚数）等の情報を遊技者に対してデジタル表示する。
【００３８】
ランプ（ＬＥＤ等）１４は、演出内容に応じた点消灯のパターンにて光を出力する。スピーカ９Ｌ，９Ｒは、演出内容に応じた効果音や楽曲等の音を出力する。メダル払出口１５は、後述のメダル払出装置４０（後述の図３参照）の駆動により排出されるメダルを外部に導く。メダル払出口１５から排出されたメダルは、メダル受皿１６に貯められる。
【００３９】
＜パチスロの内部構造＞
図３は、本実施の形態におけるパチスロ１の内部構造を示す。フロントドア２が開放され、フロントドア２の裏面側の構造及びキャビネット１ａ内部の構造が現れた状態が示されている。
【００４０】
キャビネット１ａ内部の上方には、主制御回路７１（後述の図４参照）が形成された基板（以下、主基板７１Ａ）が設けられている。主制御回路７１は、内部当籤役の決定、リール３Ｌ，３Ｃ，３Ｒの回転及び停止、入賞の有無の判定といった、パチスロ１における遊技の主な流れを制御する回路である。主制御回路７１の具体的な構成は後述する。
【００４１】
キャビネット１ａ内部の中央には、３つのリール３Ｌ，３Ｃ，３Ｒが設けられている。リール３Ｌ，３Ｃ，３Ｒのそれぞれには、所定の減速比をもったギアを介してステッピングモータ４９Ｌ，４９Ｃ，４９Ｒ（後述の図４参照）が接続されている。
【００４２】
３つのリール３Ｌ，３Ｃ，３Ｒの左側には、副制御回路７２（後述の図４参照）が形成された基板（以下、副基板７２Ａ）が設けられている。副制御回路７２は、映像の表示等による演出の実行を制御する回路である。副制御回路７２の具体的な構成は後述する。
【００４３】
キャビネット１ａ内部の下方には、多量のメダルを収容可能で、それらを１枚ずつ排出可能な構造を有するメダル払出装置（以下、ホッパー）４０が設けられている。ホッパー４０の左側には、パチスロ１が有する各装置に対して必要な電力を供給するための電源装置４３が設けられている。
【００４４】
フロントドア２裏側の中央、表示窓２１Ｌ，２１Ｃ，２１Ｒの下方には、セレクタ４２が設けられている。セレクタ４２は、材質や形状等が適正であるメダルか否かを選別する装置であり、メダル投入口１０に受け入れられた適正なメダルをホッパー４０へ案内する。尚、セレクタ４２内においてメダルが通過する経路上には、後述のメダルセンサ４２Ｓ（後述の図４参照）が設けられており、適正なメダルが通過したことを検出する。
【００４５】
［パチスロが備える回路の構成］
パチスロ１の構造についての説明は以上である。次に、図４及び図５を参照して、本実施の形態におけるパチスロ１が備える回路の構成について説明する。本実施の形態におけるパチスロ１は、主制御回路７１、副制御回路７２及びこれらと電気的に接続する周辺装置（アクチュエータ）を備える。
【００４６】
＜主制御回路＞
図４は、本実施の形態におけるパチスロ１の主制御回路７１の構成を示す。
【００４７】
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２及びＲＡＭ（以下、メインＲＡＭ）３３により構成される。
【００４８】
メインＲＯＭ３２には、メインＣＰＵ３１により実行される制御プログラム（後述の図１７〜図２７参照）、内部抽籤テーブル（後述の図９〜図１１参照）等のデータテーブル（後述の図６〜図１３参照）、副制御回路７２に対して各種制御指令（コマンド）を送信するためのデータ等が記憶されている。メインＲＡＭ３３には、制御プログラムの実行により決定された内部当籤役等の各種データを格納する格納領域（後述の図１４〜図１６参照）が設けられる。
【００４９】
（乱数発生器等）
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００５０】
（スイッチ等）
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００５１】
メダルセンサ４２Ｓは、メダル投入口１０に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００５２】
（周辺装置及び回路）
マイクロコンピュータ３０により動作が制御される周辺装置としては、ステッピングモータ４９Ｌ，４９Ｃ，４９Ｒ、７セグ表示器１３及びホッパー４０がある。また、マイクロコンピュータ３０の出力ポートには、各周辺装置の動作を制御するための回路が接続されている。
【００５３】
モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００５４】
ステッピングモータ４９Ｌ，４９Ｃ，４９Ｒは、運動量がパルスの出力数に比例し、回転軸を指定された角度で停止させることが可能な構成を備えている。ステッピングモータ４９Ｌ，４９Ｃ，４９Ｒの駆動力は、所定の減速比をもったギアを介してリール３Ｌ，３Ｃ，３Ｒに伝達される。ステッピングモータ４９Ｌ，４９Ｃ，４９Ｒに対して１回のパルスが出力されるごとに、リール３Ｌ，３Ｃ，３Ｒは一定の角度で回転する。
【００５５】
メインＣＰＵ３１は、リールインデックスを検出してからステッピングモータ４９Ｌ，４９Ｃ，４９Ｒに対してパルスを出力した回数をカウントすることによって、リール３Ｌ，３Ｃ，３Ｒの回転角度（主に、リール３Ｌ，３Ｃ，３Ｒが図柄何個分だけ回転したか）を管理し、リール３Ｌ，３Ｃ，３Ｒの表面に配された各図柄の位置を管理するようにしている。
【００５６】
表示部駆動回路４８は、７セグ表示器１３の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００５７】
＜副制御回路＞
図５は、本実施の形態におけるパチスロ１の副制御回路７２の構成を示す。
【００５８】
副制御回路７２は、主制御回路７１と電気的に接続されており、主制御回路７１から送信されるコマンドに基づいて演出内容の決定や実行等の処理を行う。副制御回路７２は、基本的に、ＣＰＵ（以下、サブＣＰＵ）８１、ＲＯＭ（以下、サブＲＯＭ）８２、ＲＡＭ（以下、サブＲＡＭ）８３、レンダリングプロセッサ８４、描画用ＲＡＭ８５、ドライバ８７、ＤＳＰ（デジタルシグナルプロセッサ）８８、オーディオＲＡＭ８９、Ａ／Ｄ変換器９０及びアンプ９１を含んで構成されている。
【００５９】
サブＣＰＵ８１は、主制御回路７１から送信されたコマンドに応じて、サブＲＯＭ８２に記憶されている制御プログラム（後述の図２８〜図３０参照）に従い、映像、音、光の出力の制御を行う。サブＲＡＭ８３は、決定された演出内容や演出データを登録する格納領域や、主制御回路７１から送信される内部当籤役等の各種データを格納する格納領域が設けられている。サブＲＯＭ８２は、基本的に、プログラム記憶領域とデータ記憶領域によって構成される。
【００６０】
プログラム記憶領域には、サブＣＰＵ８１が実行する制御プログラムが記憶されている。例えば、制御プログラムには、主制御回路７１との通信を制御するための主基板通信タスク（後述の図２８参照）や、演出用乱数値を抽出し、演出内容（演出データ）の決定及び登録を行うための演出登録タスク（後述の図２９参照）、決定した演出内容に基づいて液晶表示装置５による映像の表示を制御する描画制御タスク、ランプ１４による光の出力を制御するランプ制御タスク、スピーカ９Ｌ，９Ｒによる音の出力を制御する音声制御タスク等が含まれる。
【００６１】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【００６２】
また、副制御回路７２には、その動作が制御される周辺装置として、液晶表示装置５、スピーカ９Ｌ，９Ｒ及びランプ１４が接続されている。
【００６３】
サブＣＰＵ８１、レンダリングプロセッサ８４、描画用ＲＡＭ８５（フレームバッファ８６を含む）及びドライバ８７は、演出内容により指定されたアニメーションデータに従って映像を作成し、作成した映像を液晶表示装置５により表示する。
【００６４】
また、サブＣＰＵ８１、ＤＳＰ８８、オーディオＲＡＭ８９、Ａ／Ｄ変換器９０及びアンプ９１は、演出内容により指定されたサウンドデータに従ってＢＧＭ等の音をスピーカ９Ｌ，９Ｒにより出力する。また、サブＣＰＵ８１は、演出内容により指定されたランプデータに従ってランプ１４の点灯及び消灯を行う。
【００６５】
［メインＲＯＭに記憶されているデータテーブルの構成］
パチスロ１が備える回路の構成についての説明は以上である。次に、図６〜図１３を参照して、メインＲＯＭ３２に記憶されている各種データテーブルの構成について説明する。
【００６６】
［図柄配置テーブル］
図６を参照して、図柄配置テーブルについて説明する。図柄配置テーブルは、各リール３Ｌ，３Ｃ，３Ｒの回転方向における各図柄の位置と、各位置に配された図柄の種類を特定するデータ（以下、図柄コード）とを規定している。
【００６７】
図柄配置テーブルは、リールインデックスが検出されるときに表示窓２１Ｌ，２１Ｃ，２１Ｒ内の中段に存在する図柄の位置を「０」として、リール３Ｌ，３Ｃ，３Ｒの回転方向に進む順に、各図柄の位置に対して「０」〜「２０」をそれぞれ割り当てている。したがって、リールインデックスが検出されてから図柄何個分の回転が行われたかを管理しつつ、図柄配置テーブルを参照することによって、主として表示窓２１Ｌ，２１Ｃ，２１Ｒの中段に存在する図柄の位置及びその図柄の種類を常に管理することが可能となっている。
【００６８】
［図柄組合せテーブル］
図７を参照して、図柄組合せテーブルについて説明する。本実施の形態では、入賞判定ラインに沿って各リール３Ｌ，３Ｃ，３Ｒにより表示される図柄の組合せが、図柄組合せテーブルにより規定されている図柄の組合せと一致する場合に、入賞と判定され、メダルの払い出し、再遊技の作動、ボーナスゲームの作動といった特典が遊技者に対して与えられる。
【００６９】
図柄組合せテーブルは、特典の種類に応じて予め定められた図柄の組合せと、表示役と、払出枚数とを規定している。表示役は、入賞判定ラインに沿って表示された図柄の組合せを識別するデータである。
【００７０】
表示役は、各ビットに対して固有の図柄の組合せが割り当てられた１バイトのデータとして表される。例えば、各リール３Ｌ，３Ｃ，３Ｒの図柄「ベル」が入賞判定ラインに沿って表示されたとき、表示役として「ベル（００００００１０）」が決定される。
【００７１】
また、払出枚数として１以上の数値が決定された場合、メダルの払い出しが行われる。本実施の形態では、表示役としてチェリー、ベル又はスイカが決定されたときメダルの払い出しが行われる。また、払出枚数は、投入枚数に応じて規定されており、基本的に投入枚数が少ないときの方がより多くの払出枚数が決定される。
【００７２】
また、表示役としてリプレイが決定されたとき、再遊技の作動が行われる。また、本実施例においては、ボーナスの作動が行われる表示役としてＢＢ１及びＢＢ２が設けられ、表示役としてＢＢ１又はＢＢ２の何れかが決定されたとき、ボーナスの作動が行われる。尚、入賞判定ラインに沿って表示された図柄の組合せが、図柄組合せテーブルにより規定されている図柄の組合せの何れとも一致しない場合には、いわゆる「ハズレ」となる。
【００７３】
［ボーナス作動時テーブル］
図８を参照して、ボーナス作動時テーブルについて説明する。ボーナス作動時テーブルは、ボーナスの作動が行われるとき及びＲＴが作動するときに、メインＲＡＭ３３に設けられた各種格納領域に格納するデータを規定している。
【００７４】
実施例の遊技状態には、基本的に、一般遊技状態、ＲＴ遊技状態、及びＲＢ遊技状態がある。遊技状態は、基本的に、内部当籤役の決定に用いる内部抽籤テーブルの種類により区別できる。具体的には、遊技状態は、内部当籤役として決定する可能性のある役の種類、内部当籤役として決定する確率等により区別できる。
【００７５】
作動中フラグは、作動している遊技状態（現在の遊技状態）を識別するための情報である。本実施例の作動中フラグには、ＲＢ（第１種特別役物）が作動しているか否かを識別するための、ＲＢ作動中フラグと、ＢＢ（第１種特別役物に係る役物連続作動装置）が作動しているか否かを識別するためのＢＢ作動中フラグと、ＲＴが作動しているか否かを識別するためのＲＴ作動中フラグと、がある。本実施の形態では、ＲＢの作動は、ＢＢの作動が行われている間、連続的に行われる。ＲＴ遊技状態であるか否かは、後述のＲＴ作動中フラグがオンであるか否かにより判別できる。
【００７６】
ＢＢの作動は、規定枚数（本実施の形態では、３４６枚）に達するメダルの払い出しが行われた場合に終了する。ＲＢの作動は、規定回数（本実施の形態では、８回）に達する遊技が行われた場合、規定回数（本実施の形態では、８回）に達する入賞が有った場合、又は、ＢＢの作動が終了した場合の何れかによって終了する。ボーナス終了枚数カウンタ、遊技可能回数カウンタ及び入賞可能回数カウンタは、ボーナスの終了契機となる上記規定枚数或いは上記規定回数に達したか否かを管理するためのデータである。
【００７７】
より具体的には、ボーナス作動時テーブルにより規定されている数値が上記各カウンタに格納され、ボーナスの作動を通じてその減算が行われていく。その結果、各カウンタの値が「０」に更新されたことを条件に該当ボーナスの作動が終了する。
【００７８】
［内部抽籤テーブル］
図９〜図１１を参照して、内部抽籤テーブルについて説明する。内部抽籤テーブルは、当籤番号に応じて、データポインタと抽籤値とを規定している。データポインタは、内部抽籤テーブルを参照して行う抽籤の結果として取得されるデータであり、後述の内部当籤役決定テーブルにより規定されている内部当籤役を指定するためのデータである。データポインタには、小役・リプレイ用データポインタ及びボーナス用データポインタが設けられている。
【００７９】
本実施の形態では、予め定められた数値の範囲「０〜６５５３５」から抽出される乱数値を、各当籤番号に応じた抽籤値で順次減算し、減算の結果が負となったか否か（いわゆる「桁かり」が生じたか否か）の判定を行うことによって内部的な抽籤が行われる。
【００８０】
したがって、抽籤値として規定されている数値が大きいほど、これが割り当てられたデータ（つまり、データポインタ）が決定される確率が高い。尚、各当籤番号の当籤確率は、「各当籤番号に対応する抽籤値／抽出される可能性のある全ての乱数値の個数（６５５３６）」によって表すことができる。
【００８１】
図９は、一般遊技状態用内部抽籤テーブルを示す。図１０は、ＲＴ作動中用内部抽籤テーブルを示す。図１１は、ＲＢ作動中用内部抽籤テーブルを示す。本実施の形態では、ボーナスの作動が行われているか否かといった状況に応じて、複数種類の内部抽籤テーブルを使い分けることにより、決定される内部当籤役の種類や当籤確率を変動させ、この結果、遊技者が抱く期待に起伏が生じるようにしている。
【００８２】
一般遊技状態用内部抽籤テーブル（図９）と、ＲＴ作動中用内部抽籤テーブル（図１０）とは、リプレイが内部当籤役として決定される確率が異なるように、異なる抽籤値の値が規定されている。具体的には、一般遊技状態用内部抽籤テーブル（図９）における、リプレイに対応する抽籤値の値は「８９８０」に、ＲＴ作動中用内部抽籤テーブル（図１０）における、リプレイに対応する抽籤値の値は「２００００」にそれぞれ規定されている。これにより、ＲＴ作動中用内部抽籤テーブル（図１０）を参照して内部当籤役の決定を行った場合には、一般遊技状態用内部抽籤テーブル（図９）を参照して内部当籤役の決定を行った場合と比較して、リプレイが内部当籤役として決定される確率が２倍以上高い。
【００８３】
［内部当籤役決定テーブル］
図１２及び図１３を参照して、内部当籤役決定テーブルについて説明する。内部当籤役決定テーブルは、データポインタに応じて内部当籤役を規定している。データポインタが決定されると、内部当籤役が一義的に取得される構成となっている。
【００８４】
内部当籤役は、入賞判定ラインに沿って表示を許可する各リール３Ｌ，３Ｃ，３Ｌの図柄の組合せを識別するデータである。内部当籤役は、表示役と同様に、各ビットに対して固有の図柄の組合せが割り当てられた１バイトのデータとして表される。尚、データポインタが「０」のとき、内部当籤役の内容は「ハズレ」となるが、これは前述の図柄組合せテーブルにより規定されている図柄の組合せの表示が何れも許可されないことを示す。
【００８５】
図１２は、小役・リプレイ用内部当籤役決定テーブルを示す。小役・リプレイ用内部当籤役決定テーブルは、メダルの払い出しに係る内部当籤役又は再遊技の作動に係る内部当籤役を規定している。図１３は、ボーナス用内部当籤役決定テーブルを示す。ボーナス用内部当籤役決定テーブルは、ボーナスの作動に係る内部当籤役を規定している。
【００８６】
［メインＲＡＭに設けられる格納領域の構成］
メインＲＯＭ３２に記憶されているデータテーブルの内容についての説明は以上である。次に、図１４〜図１６を参照して、メインＲＡＭ３３に設けられている各種格納領域の構成について説明する。
【００８７】
［内部当籤役格納領域］
図１４を参照して、内部当籤役格納領域の構成について説明する。内部当籤役格納領域は、前述の１バイトのデータにより表される内部当籤役を格納する。ビットに「１」が立っているとき、該当する図柄の組合せの表示が許可される。尚、全ビットが「０」であるとき、その内容はハズレとなる。
【００８８】
尚、メインＲＡＭ３３には、前述の表示役が格納される表示役格納領域が設けられている。表示役格納領域の構成は、内部当籤役格納領域の構成と同様となっている。ビットに「１」が立っているとき、該当する図柄の組合せが入賞判定ラインに沿って表示されたことになる。
【００８９】
［持越役格納領域］
図１５を参照して、持越役格納領域の構成について説明する。
【００９０】
前述の抽籤の結果、ボーナスの作動に係る内部当籤役が決定されたときは、これが持越役格納領域に格納される。持越役格納領域に格納されたボーナスの作動に係る内部当籤役（以下、持越役）は、対応する図柄の組合せが入賞判定ラインに表示されるまで、その内容がクリアされずに保持される構成となっている。そして、持越役格納領域に持越役が格納されている間は、前述の抽籤の結果にかかわらず、これが内部当籤役格納領域に格納される。
【００９１】
［作動中フラグ格納領域］
図１６を参照して、作動中フラグ格納領域の構成について説明する。
【００９２】
作動中フラグ格納領域は、１バイトからなる作動中フラグを格納する。作動中フラグは、各ビットに対して固有のボーナス又は固有のＲＴが割り当てられている。ビットに「１」が立っているとき、該当するボーナスの作動又はＲＴの作動が行われている。尚、全ビットが「０」であるときの状態を一般遊技状態と定義する。
【００９３】
［パチスロにおいて実行されるプログラムフロー］
メインＲＡＭ３３に設けられる各種格納領域の構成についての説明は以上である。次に、図１７〜図２７を参照して、主制御回路７１のメインＣＰＵ３１により実行されるプログラムの内容について説明する。
【００９４】
［主制御回路のメインＣＰＵの制御によるメインフローチャート］
まず、図１７を参照して、メインＣＰＵ３１の制御によるメインフローチャートについて説明する。パチスロ１に電源が投入されると、はじめに、メインＣＰＵ３１は、初期化処理を行う（Ｓ１）。次に、メインＣＰＵ３１は、メインＲＡＭ３３における指定格納領域のクリアを行う（Ｓ２）。この処理では、例えば、内部当籤役格納領域（図１４参照）や表示役格納領域（図１４参照）等、１回の遊技ごとに消去が必要となる格納領域に格納されたデータがクリアされる。
【００９５】
次に、メインＣＰＵ３１は、後で図１８を参照して説明するメダル受付・スタートチェック処理を行う（Ｓ３）。この処理では、メダルセンサ４２Ｓやスタートスイッチ６Ｓの入力のチェック等が行われる。
【００９６】
次に、メインＣＰＵ３１は、乱数値を抽出し、メインＲＡＭ３３に設けられた乱数値格納領域に格納する（Ｓ４）。次に、メインＣＰＵ３１は、後で図１９及び図２０を参照して説明する内部抽籤処理を行う（Ｓ５）。この処理では、乱数値に基づいた抽籤により内部当籤役の決定が行われる。次に、メインＣＰＵ３１は、後で図２２を参照して説明するＲＴ遊技数カウンタ（メイン）更新処理を行う（Ｓ６）。この処理では、ＲＴ遊技数のカウンタ（メイン）の減算等が行われる。このＲＴ遊技数カウンタ（メイン）は、主制御回路７１のメインＲＡＭ３３の所定領域に設けられている。
【００９７】
次に、メインＣＰＵ３１は、スタートコマンドを副制御回路７２に対して送信する（Ｓ７）。スタートコマンドは、内部当籤役等を特定するパラメータを含んで構成される。
【００９８】
次に、メインＣＰＵ３１は、全リール３Ｌ，３Ｃ，３Ｒの回転開始を要求する（Ｓ８）。尚、全リール３Ｌ，３Ｃ，３Ｒの回転開始が要求されると、一定の周期（１．１１７３ｍｓｅｃ）で実行される割込処理（後述の図２７参照）によってステッピングモータ４９Ｌ，４９Ｃ，４９Ｒの駆動が制御され、各リール３Ｌ，３Ｃ，３Ｒの回転が開始される。
【００９９】
次に、メインＣＰＵ３１は、後で図２３を参照して説明するリール停止制御処理を行う（Ｓ９）。この処理では、ストップスイッチ７Ｓの入力のチェックが行われ、ストップボタンが押されたタイミングと内部当籤役とに基づいて該当リールの回転が停止される。
【０１００】
次に、メインＣＰＵ３１は、入賞判定ラインに沿って表示された図柄の組合せを検索し、その結果に基づいて払出枚数等を決定する（Ｓ１０）。検索の結果、入賞判定ラインに沿って表示された図柄の組合せが図柄組合せテーブル（図７参照）により規定されている図柄の組合せと一致する場合、対応する表示役及び払出枚数が決定される。
【０１０１】
次に、メインＣＰＵ３１は、後で図２４を参照して説明するＲＴ作動図柄チェック処理を行う（Ｓ１１）。この処理では、スイカが表示役として決定したことを条件にＲＴの開始等を行う。次に、メインＣＰＵ３１は、表示コマンドを副制御回路７２に対して送信する（Ｓ１２）。表示コマンドは、表示役や払出枚数等を特定するパラメータを含んで構成される。
【０１０２】
次に、メインＣＰＵ３１は、メダル払出処理を行う（Ｓ１３）。この処理では、決定された払出枚数に基づいて、ホッパー４０の駆動やクレジット枚数の更新が行われる。次に、メインＣＰＵ３１は、払出枚数に基づいて、ボーナス終了枚数カウンタを更新する（Ｓ１４）。この処理では、払出枚数として決定された数値がボーナス終了枚数カウンタから減算される。
【０１０３】
次に、メインＣＰＵ３１は、ボーナス作動中フラグがオンであるか否かを判別する（Ｓ１５）。メインＣＰＵ３１は、ボーナス作動中フラグがオンであると判別したときには、後で図２６を参照して説明するボーナス終了チェック処理を行う（Ｓ１６）。この処理では、ボーナスの終了契機を管理するための各種カウンタを参照して、ボーナスの作動を終了するか否かがチェックされる。
【０１０４】
メインＣＰＵ３１は、Ｓ１６の後、又は、Ｓ１５においてボーナス作動中フラグがオンではないと判別したときには、後で図２５を参照して説明するボーナス作動チェック処理を行う（Ｓ１７）。この処理では、ボーナスの作動を開始するか否かがチェックされる。この処理が終了すると、Ｓ２に移る。
【０１０５】
［メダル受付・スタートチェック処理］
次に、図１８を参照して、メダル受付・スタートチェック処理について説明する。はじめに、メインＣＰＵ３１は、自動投入枚数カウンタは０であるか否かを判別する（Ｓ３１）。自動投入枚数カウンタは０であると判別したときには、メダル通過許可を行う（Ｓ３２）。この処理では、セレクタ４２のソレノイドの駆動が行われ、セレクタ４２内のメダルの通過が促される。
【０１０６】
メインＣＰＵ３１は、自動投入枚数カウンタは０ではないと判別したときには、自動投入枚数カウンタを投入枚数カウンタに複写する（Ｓ３３）。次に、メインＣＰＵ３１は、自動投入枚数カウンタをクリアする（Ｓ３４）。Ｓ３３及びＳ３４は再遊技を行うための処理である。
【０１０７】
メインＣＰＵ３１は、Ｓ３２又はＳ３４の後で、投入枚数カウンタの最大値として３をセットする（Ｓ３５）。次に、メインＣＰＵ３１は、ボーナス作動中フラグがオンであるか否かを判別する（Ｓ３６）。メインＣＰＵ３１は、ボーナス作動中フラグがオンであると判別したときには、投入枚数カウンタの最大値を変更する（Ｓ３７）。この処理では、例えば、最大値が２に変更される。
【０１０８】
メインＣＰＵ３１は、Ｓ３７の後、又は、Ｓ３６においてボーナス作動中フラグがオンではないと判別したときには、メダルの通過は検出されたか否かを判別する（Ｓ３８）。メインＣＰＵ３１は、メダルの通過は検出されたと判別したときには、投入枚数カウンタは最大値に達したか否かを判別する（Ｓ３９）。メインＣＰＵ３１は、投入枚数カウンタは最大値に達していないと判別したときには、投入枚数カウンタを１加算する（Ｓ４０）。次に、メインＣＰＵ３１は、メダル投入コマンドを副制御回路７２に対して送信する（Ｓ４１）。メダル投入コマンドは、投入枚数等を特定するためのパラメータを含んで構成されている。
【０１０９】
メインＣＰＵ３１は、Ｓ３９において投入枚数カウンタは最大値であると判別したときには、クレジットカウンタを１加算する（Ｓ４２）。メインＣＰＵ３１は、Ｓ４２の後、Ｓ４１の後、又は、Ｓ３８においてメダルの通過が検出されていないと判別したときには、ベットスイッチ１１Ｓのチェックを行う（Ｓ４３）。この処理では、ベットボタン１１に対応する数値が投入枚数カウンタに加算される一方でクレジットカウンタから減算される。
【０１１０】
次に、メインＣＰＵ３１は、投入枚数カウンタは最大値に達したか否かを判別する（Ｓ４４）。投入枚数カウンタは最大値に達していないと判別したときには、Ｓ３８に移る一方で、投入枚数カウンタは最大値に達したと判別したときには、スタートスイッチ６Ｓはオンであるか否かを判別する（Ｓ４５）。
【０１１１】
メインＣＰＵ３１は、スタートスイッチ６Ｓはオンではないと判別したときには、Ｓ３８に移る一方で、スタートスイッチ６Ｓはオンであると判別したときには、メダル通過禁止を行う（Ｓ４６）。この処理では、セレクタ４２のソレノイドの駆動が行われず、メダルの排出が促される。この処理が終了すると、メダル受付・スタートチェック処理を終了する。
【０１１２】
［内部抽籤処理］
次に、図１９〜図２０を参照して、内部抽籤処理について説明する。はじめに、メインＣＰＵ３１は、設定値に応じて内部抽籤テーブル（図９〜図１１参照）を決定すると共に、抽籤回数を決定する（Ｓ６１）。この処理では、作動中フラグ格納領域（図１６参照）が参照され、ボーナスの作動の有無等に応じて、内部抽籤テーブル及び抽籤回数が決定される。尚、抽籤回数は、内部抽籤テーブルにより規定された各当籤番号について、抽籤値の減算及び桁かりが生じたか否かの判定を行う回数を示す。
【０１１３】
次に、メインＣＰＵ３１は、後で図２１を参照して説明する内部抽籤テーブル変更処理を行う（Ｓ６２）。この処理では、ＲＴ作動中フラグの有無に応じて内部抽籤テーブルの変更を行う。
【０１１４】
次に、メインＣＰＵ３１は、乱数値格納領域に格納されている乱数値を取得し、判定用乱数値としてセットする（Ｓ６３）。次に、メインＣＰＵ３１は、当籤番号の初期値として１をセットする（Ｓ６４）。
【０１１５】
次に、メインＣＰＵ３１は、内部抽籤テーブルを参照し、当籤番号に対応する抽籤値を取得する（Ｓ６５）。次に、メインＣＰＵ３１は、判定用乱数値から抽籤値を減算する（Ｓ６６）。次に、メインＣＰＵ３１は、桁かりが行われたか否かを判別する（Ｓ６７）。メインＣＰＵ３１は、桁かりが行われていないと判別したときには、抽籤回数を１減算し、当籤番号を１加算する（Ｓ６８）。
【０１１６】
次に、メインＣＰＵ３１は、抽籤回数は０であるか否かを判別する（Ｓ６９）。メインＣＰＵ３１は、抽籤回数は０ではないと判別したときには、Ｓ６５に移る一方で、抽籤回数は０であると判別したときには、小役・リプレイ用データポインタとして０をセットし、ボーナス用データポインタとして０をセットする（Ｓ７０）。
【０１１７】
メインＣＰＵ３１は、Ｓ６７において桁かりが行われたと判別したときには、現在の当籤番号に応じて、小役・リプレイ用データポインタ及びボーナス用データポインタを取得する（Ｓ７１）。メインＣＰＵ３１は、Ｓ７１又はＳ７０の後で、小役・リプレイ用内部当籤役決定テーブル（図１２参照）を参照し、小役・リプレイ用データポインタに基づいて内部当籤役を取得する（Ｓ７２）。
【０１１８】
次に、メインＣＰＵ３１は、取得した内部当籤役を内部当籤役格納領域（図１４参照）に格納する（Ｓ７３）。次に、メインＣＰＵ３１は、持越役格納領域（図１５参照）に格納されているデータは０であるか否かを判別する（Ｓ７４）。メインＣＰＵ３１は、持越役格納領域に格納されているデータは０であると判別したときは、ボーナス用内部当籤役決定テーブル（図１３参照）を参照し、ボーナス用データポインタに基づいて内部当籤役を取得する（Ｓ７５）。次に、メインＣＰＵ３１は、取得した内部当籤役を持越役格納領域（図１５参照）に格納する（Ｓ７６）。
【０１１９】
メインＣＰＵ３１は、Ｓ７６の後、又は、Ｓ７４において持越役格納領域（図１５参照）に格納されているデータは０ではないと判別したときには、持越役格納領域と内部当籤役格納領域（図１４参照）との論理和をとり、その結果を内部当籤役格納領域に格納する（Ｓ７７）。つまり、ボーナスの作動に係る内部当籤役の持ち越しが行われる。
【０１２０】
次に、メインＣＰＵ３１は、ＢＢ１が内部当籤役として決定したか否かを判別する（Ｓ７８）。メインＣＰＵ３１は、ＢＢ１が内部当籤役として決定していないと判別したときには、内部抽籤処理を終了する一方で、ＢＢ１が内部当籤役として決定したと判別したときには、ＲＴ作動中フラグはオンであるか否かを判別する（Ｓ７９）。メインＣＰＵ３１は、ＲＴ作動中フラグはオンではないと判別したときには、内部抽籤処理を終了する一方で、ＲＴ作動中フラグはオンであると判別したときには、ＲＴ作動中フラグをオフにする（Ｓ８０）。次に、メインＣＰＵ３１は、ＲＴ遊技数カウンタ（メイン）を０に更新する。この処理が終了すると、内部抽籤処理を終了する。
【０１２１】
［内部抽籤テーブル変更処理］
次に、図２１を参照して、内部抽籤テーブル変更処理について説明する。はじめに、メインＣＰＵ３１は、ＲＴ作動中フラグはオンであるか否かを判別する（Ｓ９１）。メインＣＰＵ３１は、ＲＴ作動中フラグはオンであると判別したときには、内部抽籤テーブルをＲＴ作動中用内部抽籤テーブル（図１０参照）に変更する（Ｓ９２）。この処理が終了すると、内部抽籤テーブル変更処理を終了する。
【０１２２】
［ＲＴ遊技数カウンタ更新処理］
次に、図２２を参照して、ＲＴ遊技数カウンタ（メイン）更新処理について説明する。はじめに、メインＣＰＵ３１は、ＲＴ遊技数カウンタ（メイン）は１以上であるか否かを判別する（Ｓ１０１）。メインＣＰＵ３１は、ＲＴ遊技数カウンタ（メイン）は１以上ではないと判別したときには、ＲＴ遊技数カウンタ（メイン）更新処理を終了する一方で、ＲＴ遊技数カウンタ（メイン）は１以上であると判別したときには、ＲＴ遊技数カウンタ（メイン）を１減算する（Ｓ１０２）。
【０１２３】
次に、メインＣＰＵ３１は、ＲＴ遊技数カウンタ（メイン）は０であるか否かを判別する（Ｓ１０３）。メインＣＰＵ３１は、ＲＴ遊技数カウンタ（メイン）は０ではないと判別したときには、ＲＴ遊技数カウンタ（メイン）更新処理を終了する一方で、ＲＴ遊技数カウンタ（メイン）は０であると判別したときには、ＲＴ作動中フラグはオンであるか否かを判別する（Ｓ１０４）。メインＣＰＵ３１は、ＲＴ作動中フラグはオンではないと判別したときには、ＲＴ遊技数カウンタ（メイン）更新処理を終了する一方で、ＲＴ作動中フラグはオンであると判別したときには、ＲＴ作動中フラグをオフにする（Ｓ１０５）。
【０１２４】
次に、メインＣＰＵ３１は、ＲＴ遊技数カウンタ（メイン）を０に更新する（Ｓ１０６）。この処理が終了すると、ＲＴ遊技数カウンタ（メイン）更新処理を終了する。
【０１２５】
［リール停止制御処理］
次に、図２３を参照して、リール停止制御処理について説明する。はじめに、メインＣＰＵ３１は、有効なストップボタンが押されたか否かを判別する（Ｓ１１１）。メインＣＰＵ３１は、有効なストップボタンが押されていないと判別したときには、これが押されるまで待機する。
【０１２６】
メインＣＰＵ３１は、有効なストップボタンが押されたと判別したときには、該当ストップボタンの操作を無効化する（Ｓ１１２）。各ストップボタン７Ｌ，７Ｃ，７Ｒの有効及び無効の状態は、メインＲＡＭ３３に設けられた所定の格納領域において管理される。
【０１２７】
次に、メインＣＰＵ３１は、チェック回数として５をセットする（Ｓ１１３）。本実施の形態では、滑り駒数の最大数を「４」としていることから、ストップボタンが押されたときに該当表示窓の中段にある図柄の位置を含め、そこから４個先の図柄の位置までがチェックの対象となる。つまり、「０」、「１」、「２」、「３」及び「４」の５つの数値の何れかが滑り駒数として決定される。
【０１２８】
次に、メインＣＰＵ３１は、内部当籤役に基づいて、ストップボタンが押されたときに該当表示窓の中段にある図柄の位置（以下、停止開始位置）を含めたチェック回数の範囲内にある各図柄の位置の中で、最も優先順位の高い図柄の位置を検索する（Ｓ１１４）。この処理では、内部当籤役によって表示が許可されている図柄の組合せを、入賞判定ライン沿って表示することが可能となる図柄の位置が、最も優先順位の高い図柄の位置として決定される。
【０１２９】
次に、メインＣＰＵ３１は、検索の結果に基づいて滑り駒数を決定する（Ｓ１１５）。停止開始位置から上記最も優先順位の高い図柄の位置までの図柄の個数が滑り駒数として決定される。次に、メインＣＰＵ３１は、停止予定位置待ちへ移行する（Ｓ１１６）。停止予定位置待ちへ移行すると、後述の割込処理（後述の図２７参照）によってステッピングモータ４９Ｌ，４９Ｃ，４９Ｒの駆動が制御され、最も優先順位の高い図柄の位置が該当表示窓の中段に到達するのを待って該当リールの回転が停止される。
【０１３０】
次に、メインＣＰＵ３１は、リール停止コマンドを副制御回路７２に対して送信する（Ｓ１１７）。リール停止コマンドは、停止したリールの種別等を特定するパラメータを含んで構成されている。
【０１３１】
次に、メインＣＰＵ３１は、操作が有効なストップボタンがあるか否かを判別する（Ｓ１１８）。つまり、まだ回転中のリールがあるか否かが判別される。メインＣＰＵ３１は、操作が有効なストップボタンがあると判別したときには、Ｓ１１１に移る一方で、操作が有効なストップボタンがないと判別したときには、リール停止制御処理を終了する。
【０１３２】
［ＲＴ作動図柄チェック処理］
次に、図２４を参照して、ＲＴ作動図柄チェック処理について説明する。はじめに、メインＣＰＵ３１は、ＲＴ作動中フラグはオンであるか否かを判別する（Ｓ１２１）。メインＣＰＵ３１は、ＲＴ作動中フラグはオンではないと判別したときには、表示役はスイカであるか否かを判別する（Ｓ１２２）。メインＣＰＵ３１は、表示役はスイカではないと判別したときには、ＲＴ作動図柄チェック処理を終了する一方で、表示約はスイカであると判別したときには、ＲＴ作動中フラグをオンにする（Ｓ１２３）。次に、メインＣＰＵ３１は、ＲＴ遊技数カウンタ（メイン）に１００をセットする。この処理が終了すると、ＲＴ作動図柄チェック処理を終了する。
【０１３３】
メインＣＰＵ３１は、Ｓ１２１において、ＲＴ作動中フラグはオンであると判別したときには、表示役はＢＢ２であるか否かを判別する（Ｓ１２５）。メインＣＰＵ３１は、表示役はＢＢ２でないと判別したときには、ＲＴ作動図柄チェック処理を終了する一方で、表示役はＢＢ２であると判別したときには、ＲＴ作動中フラグをオフにする（Ｓ１２６）。この処理が終了すると、ＲＴ作動図柄チェック処理を終了する。
【０１３４】
［ボーナス作動チェック処理］
次に、図２５を参照して、ボーナス作動チェック処理について説明する。はじめに、メインＣＰＵ３１は、表示役はＢＢ１又はＢＢ２であるか否かを判別する（Ｓ１３１）。メインＣＰＵ３１は、表示役はＢＢ１又はＢＢ２であると判別したときには、ボーナス作動時テーブル（図８参照）を参照し、ＢＢ作動時処理を行う（Ｓ１３２）。この処理では、ＢＢ作動中フラグがオンにされ、ボーナス終了枚数カウンタに所定値がセットされる。
【０１３５】
次に、メインＣＰＵ３１は、持越役格納領域（図１５参照）をクリアする（Ｓ１３３）。次に、メインＣＰＵ３１は、ボーナス開始コマンドを副制御回路７２に対して送信する（Ｓ１３４）。この処理が終了すると、ボーナス作動チェック処理を終了する。
【０１３６】
メインＣＰＵ３１は、Ｓ１３１において表示役はＢＢ１又はＢＢ２ではないと判別したときには、表示役はリプレイであるか否かを判別する（Ｓ１３５）。メインＣＰＵ３１は、表示役はリプレイであると判別したときには、投入枚数カウンタの値を自動投入枚数カウンタに複写する（Ｓ１３６）。この処理が終了するとボーナス作動チェック処理を終了する。
【０１３７】
メインＣＰＵ３１は、Ｓ１３５において表示役はリプレイではないと判別したときには、ＢＢ作動中フラグはオンであるか否かを判別する（Ｓ１３７）。メインＣＰＵ３１は、ＢＢ作動中フラグはオンではないと判別したときには、ボーナス作動チェック処理を終了する一方で、ＢＢ作動中フラグはオンであると判別したときには、ＲＢ作動中フラグはオンであるか否かを判別する（Ｓ１３８）。
【０１３８】
メインＣＰＵ３１は、ＲＢ作動中フラグはオンであると判別したときには、ボーナス作動チェック処理を終了する一方で、ＲＢ作動中フラグはオンではないと判別したときには、ボーナス作動時テーブル（図８参照）を参照し、ＲＢ作動時処理を行う（Ｓ１３９）。この処理では、ＲＢ作動中フラグがオンにされ、入賞可能回数カウンタ及び遊技可能回数カウンタに所定値がセットされる。この処理が終了すると、ボーナス作動チェック処理を終了する。
【０１３９】
［ボーナス終了チェック処理］
次に、図２６を参照して、ボーナス終了チェック処理について説明する。はじめに、メインＣＰＵ３１は、ボーナス終了枚数カウンタは０であるか否かを判別する（Ｓ１４１）。メインＣＰＵ３１は、ボーナス終了枚数カウンタは０であると判別したときには、ＢＢ終了時処理を行う（Ｓ１４２）。この処理では、ＢＢ作動中フラグ及びＲＢ作動中フラグがオフされ、ボーナスの終了契機を管理するための各種カウンタがクリアされる。次に、メインＣＰＵ３１は、ボーナス終了コマンドを副制御回路７２に対して送信する（Ｓ１４３）。この処理が終了すると、ボーナス終了チェック処理を終了する。
【０１４０】
メインＣＰＵ３１は、Ｓ１４１においてボーナス終了枚数カウンタは０ではないと判別したときには、入賞可能回数カウンタ又は遊技可能回数カウンタを更新する（Ｓ１４４）。この処理では、遊技可能回数カウンタが１減算され、また、入賞が有った場合に入賞可能回数カウンタが１減算される。次に、メインＣＰＵ３１は、入賞可能回数カウンタ又は遊技可能回数カウンタは０であるか否かを判別する（Ｓ１４５）。
【０１４１】
メインＣＰＵ３１は、入賞可能回数カウンタ又は遊技可能回数カウンタは０ではないと判別したときには、ボーナス終了チェック処理を終了する一方で、入賞可能回数カウンタ又は遊技可能回数カウンタは０であると判別したときには、ＲＢ終了時処理を行う（Ｓ１４６）。この処理では、ＲＢ作動中フラグがオフされ、入賞可能回数カウンタ及び遊技可能回数カウンタがクリアされる。この処理が終了すると、ボーナス終了チェック処理を終了する。
【０１４２】
［メインＣＰＵの制御による割込処理（１．１１７３ｍｓｅｃ）］
次に、図２７を参照して、メインＣＰＵ３１の制御による割込処理（１．１１７３ｍｓｅｃ）について説明する。はじめに、メインＣＰＵ３１は、レジスタの退避を行う（Ｓ１６１）。次に、メインＣＰＵ３１は、入力ポートチェック処理を行う（Ｓ１６２）。この処理では、ストップスイッチ７Ｓ等の各種スイッチから入力される信号がチェックされる。
【０１４３】
次に、メインＣＰＵ３１は、リール制御処理を行う（Ｓ１６３）。この処理では、全リール３Ｌ，３Ｃ，３Ｒの回転開始が要求されたときに、各リール３Ｌ，３Ｃ，３Ｒの回転を開始し、その後一定速度での回転を行うよう、ステッピングモータ４９Ｌ，４９Ｃ，４９Ｒの駆動が制御される。また、滑り駒数が決定されたときは、該当リールの回転が滑り駒数分継続するのを待ってその回転の減速及び停止を行うよう、ステッピングモータの駆動が制御される。
【０１４４】
次に、メインＣＰＵ３１は、ランプ・７セグ駆動処理を行う（Ｓ１６４）。次に、メインＣＰＵ３１は、レジスタの復帰を行う（Ｓ１６５）。この処理が終了すると、割込処理を終了する。
【０１４５】
［副制御回路のサブＣＰＵによって実行されるプログラムフロー］
主制御回路７１のメインＣＰＵ３１により実行されるプログラムの内容についての説明は以上である。次に、図２８〜図３０を参照して、副制御回路７２のサブＣＰＵ８１により実行されるプログラムの内容について説明する。
【０１４６】
［主基板通信タスク］
図２８を参照して、サブＣＰＵ８１により行われる主基板通信タスクについて説明する。はじめに、サブＣＰＵ８１は、主制御回路７１から送信されたコマンドの受信チェックを行う（Ｓ３０１）。次に、サブＣＰＵ８１は、コマンドを受信した場合、そのコマンドの種別を抽出する（Ｓ３０２）。
【０１４７】
次に、サブＣＰＵ８１は、前回とは異なるコマンドを受信したか否かを判別する（Ｓ３０３）。サブＣＰＵ８１は、前回とは異なるコマンドを受信しなかったと判別したときには、Ｓ３０１に移る一方で、前回とは異なるコマンドを受信したと判別したときには、メッセージキューに格納し（Ｓ３０４）、Ｓ３０１に移る。
【０１４８】
［演出登録タスク］
次に、図２９を参照して、サブＣＰＵ８１により行われる演出登録タスクについて説明する。はじめに、サブＣＰＵ８１は、メッセージキューからメッセージを取り出す（Ｓ３１１）。次に、サブＣＰＵ８１は、メッセージは有るか否かを判別する（Ｓ３１２）。サブＣＰＵ８１は、メッセージは有ると判別したときには、メッセージから遊技情報を複写する（Ｓ３１３）。例えば、パラメータによって特定される、内部当籤役、回転が停止したリールの種別、表示役、作動中フラグ等といった各種データがサブＲＡＭ８３に設けられた格納領域に複写される。
【０１４９】
次に、サブＣＰＵ８１は、後で図３０を参照して説明する演出内容決定処理を行う（Ｓ３１４）。この処理では、受信したコマンドの種別に応じて、演出内容の決定や演出データの登録等が行われる。
【０１５０】
サブＣＰＵ８１は、Ｓ３１４の後、又は、Ｓ３１２においてメッセージは無かったと判別したときには、アニメーションデータの登録を行う（Ｓ３１５）。次に、サブＣＰＵ８１は、サウンドデータの登録を行う（Ｓ３１６）。次に、サブＣＰＵ８１は、ランプデータの登録を行う（Ｓ３１７）。アニメーションデータの登録、サウンドデータの登録及びランプデータの登録は、演出内容決定処理（後述の図３０参照）において登録された演出データに基づいて行われる。この処理が終了すると、Ｓ３１１に移る。
【０１５１】
［演出内容決定処理］
次に、図３０を参照して、サブＣＰＵ８１により実行される演出内容決定処理のフローチャートについて説明する。はじめに、サブＣＰＵ８１は、スタートコマンド受信時であるか否かを判別する（Ｓ３２１）。サブＣＰＵ８１は、スタートコマンド受信時であると判別したときには、演出用乱数値を抽出し、内部当籤役等に基づいて演出番号を抽籤により決定し、登録する（Ｓ３２２）。演出番号は、今回において実行する演出内容を指定するデータである。
【０１５２】
次に、サブＣＰＵ８１は、登録されている演出番号に基づいて、スタート時の演出データを登録する（Ｓ３２３）。演出データは、アニメーションデータ、サウンドデータ及びランプデータを指定するデータである。演出データが登録されると、対応するアニメーションデータ等が決定され、映像の表示等の演出が実行される。この処理が終了すると、演出内容決定処理を終了する。
【０１５３】
次に、サブＣＰＵ８１は、スタートコマンド受信時ではないと判別したときには、リール停止コマンド受信時であるか否かを判別する（Ｓ３２４）。サブＣＰＵ８１は、リール停止コマンド受信時であると判別したときには、登録されている演出番号と作動ストップボタンの種別に基づいて、停止時の演出データを登録する（Ｓ３２５）。尚、作動ストップボタンとは、有効なストップボタンのうち押されたもののことである。この処理が終了すると、演出内容決定処理を終了する。
【０１５４】
次に、サブＣＰＵ８１は、リール停止コマンド受信時ではないと判別したときには、表示コマンド受信時であるか否かを判別する（Ｓ３２６）。サブＣＰＵ８１は、表示コマンド受信時であると判別したときには、登録されている演出番号に基づいて、表示時の演出データを登録する（Ｓ３２７）。この処理が終了すると、演出内容決定処理を終了する。
【０１５５】
次に、サブＣＰＵ８１は、表示コマンド受信時ではないと判別したときには、ボーナス開始コマンド受信時であるか否かを判別する（Ｓ３２８）。サブＣＰＵ８１は、ボーナス開始コマンド受信時であると判別したときには、ボーナス開始用の演出データを登録する（Ｓ３２９）。この処理が終了すると、演出内容決定処理を終了する。
【０１５６】
次に、サブＣＰＵ８１は、ボーナス開始コマンド受信時ではないと判別したときには、ボーナス終了コマンド受信時であるか否かを判別する（Ｓ３３０）。サブＣＰＵ８１は、ボーナス終了コマンド受信時ではないと判別したときには、演出内容決定処理を終了する一方で、ボーナス終了コマンド受信時であると判別したときには、ボーナス終了用の演出データを登録する（Ｓ３３１）。この処理が終了すると、演出内容決定処理を終了する。
【０１５７】
次に、本実施例のパチスロ１による遊技のフローについて説明する。
【０１５８】
まず、一般遊技状態においてスイカが表示役として決定した場合には、ＲＴ作動中フラグがオンに更新され、ＲＴ遊技数カウンタ（メイン）に１００がセットされ、内部抽籤テーブルがＲＴ作動中用内部抽籤テーブル（図１０参照）に変更される。したがって、スイカが表示役として決定することにより、ＲＴ遊技状態が基本的に１００回の単位遊技の間に亘って行われる。
【０１５９】
ここで、ＲＴ遊技状態において、ＢＢ１が内部当籤役として決定した場合には、ＲＴ作動中フラグがオフにされ、ＲＴ遊技数カウンタ（メイン）が０に更新され、内部抽籤テーブルが一般遊技状態用内部抽籤テーブル（図９）に変更される。すなわち、ＲＴ遊技状態において、ボーナスの作動に係る２つの内部当籤役ＢＢ１、ＢＢ２のうち、ＢＢ１が内部当籤役として決定した場合には、１００回の単位遊技の全てが消化される前にＲＴ遊技状態が終了し、遊技状態が一般遊技状態に切り換えられる。したがって、遊技者は、１００回の単位遊技の全てが消化される前にＲＴ遊技状態による遊技が終了し、一般遊技状態による遊技が行われた場合にあっては、ボーナスの作動に係るＢＢ１が内部当籤役として決定したということを把握することができる。
【０１６０】
しかし、ＲＴ遊技状態において、ＢＢ１が内部当籤役として決定しなかった場合には、１００回の単位遊技の全てに亘ってＲＴ遊技状態による遊技が行われることとなる。したがって、遊技者は、ＲＴ遊技状態において、１００回の単位遊技の全てが消化された場合には、ＢＢ１が内部当籤役として決定されなかったということを把握することができる。
【０１６１】
これに対し、ＲＴ遊技状態において、ＢＢ２が内部当籤役として決定した場合にあっては、ＲＴ作動中フラグはオフにされず、ＲＴ遊技状態による遊技が継続される。すなわち、ＲＴ遊技状態において、ボーナスの作動に係る２つの内部当籤役ＢＢ１、ＢＢ２のうち、ＢＢ２が内部当籤役として決定した場合であっても、１００回の単位遊技の全てが消化されるまでＲＴ遊技状態による遊技が継続される。したがって、遊技者は、ＲＴ遊技状態において、１００回の単位遊技の全てが消化された場合であっても、ＢＢ２が内部当籤役として決定したか否かを把握することができない。
【０１６２】
これにより、ＲＴ遊技状態による遊技が行われているときに、一般遊技状態に切り替えられずに、１００回の単位遊技の全てが消化された場合であっても、ボーナスの作動に係る２つの内部当籤役ＢＢ１、ＢＢ２のうち、ＢＢ２が内部当籤役として決定している場合がある。したがって、ＲＴ遊技状態において、１００回の単位遊技の全てが行われた場合であっても、もしかしたら、遊技者にとって有利な状態の作動が行われるボーナスの作動に係るＢＢ２が内部当籤役として決定しているかも知れない、という遊技者の遊技に対する期待感を向上させることができる。
【０１６３】
また、ＲＴ遊技状態において、ボーナスの作動に係る２つの内部当籤役ＢＢ１、ＢＢ２のうち、ＢＢ１が内部当籤役として決定した場合には、１００回の単位遊技の全てが消化されていない場合であっても、遊技状態が一般遊技状態に切り換えられる。したがって、ＲＴ遊技状態が延々と継続することにより生ずる遊技者の遊技に対する倦怠を抑制することができる。これにより、遊技者の遊技に対する興趣を向上させることができる。
【０１６４】
以上、実施例について説明したが、本発明はこれに限られるものではない。
【０１６５】
また、上述の実施例では、一般遊技状態においてスイカが表示役として決定した場合には、ＲＴ遊技数カウンタ（メイン）に１００をセットし、ＲＴ遊技状態が基本的に１００回の単位遊技の間に亘って行われるようにしたがこれに限られない。例えば、ＲＴ遊技状態が行われる単位遊技の回数を抽籤により決定してもよい。具体的には、ＲＴ遊技状態が開始される契機となるスイカが表示役として決定したときに、０〜１０００回の複数の単位遊技の中から、今回のＲＴ遊技状態において行われる単位遊技の回数を決定し、決定された単位遊技の回数に基づいてＲＴ遊技状態による遊技を行ってもよい。
【０１６６】
また、上述の実施例では、ＲＴ遊技状態において、ＢＢ２が内部当籤役として決定した場合にあっては、１００回の単位遊技の全てが消化されるまでＲＴ遊技状態による遊技が継続される。その後一般遊技状態に切り換えられるようにしたがこれに限られない。例えば、ＲＴ遊技状態において、ＢＢ２が内部当籤役として決定した場合には、１００回の単位遊技の終了後に、表示画面５ａにおいて、ボーナスの作動に係るＢＢ２が内部当籤役として決定していることを示す図３１に示すＢＢ確定演出を行ってもよい。このＢＢ確定演出では、主人公キャラクタ３１１が、ボーナスの作動に係るＢＢ２が内部当籤役として決定したことを示す。
【０１６７】
ＲＴ遊技状態においては、遊技者は、ボーナスの作動に係るＢＢ２が内部当籤役として決定しているか否かを把握することはできず、予想できるのみである。そして、遊技者がこのＢＢ確定演出を見ることにより、ＲＴ遊技状態において、もしかしたらＢＢ２が内部当籤役として決定しているのではないかという遊技者の予想が当たったことを認識し、遊技者のボーナスに対する期待感をさらに高めることができる。
【符号の説明】
【０１６８】
１    パチスロ
２    フロントドア
３Ｌ，３Ｃ，３Ｒ    リール
６    スタートレバー
７Ｌ，７Ｃ，７Ｒ    ストップボタン
３０    マイクロコンピュータ
３１    メインＣＰＵ
３２    メインＲＯＭ
３３    メインＲＡＭ
７１    主制御回路
７２    副制御回路
８３    サブＲＡＭ
【図１】
2010193963.tif 000003
【図２】
2010193963.tif 000004
【図３】
2010193963.tif 000005
【図４】
2010193963.tif 000006
【図５】
2010193963.tif 000007
【図６】
2010193963.tif 000008
【図７】
2010193963.tif 000009
【図８】
2010193963.tif 000010
【図９】
2010193963.tif 000011
【図１０】
2010193963.tif 000012
【図１１】
2010193963.tif 000013
【図１２】
2010193963.tif 000014
【図１３】
2010193963.tif 000015
【図１４】
2010193963.tif 000016
【図１５】
2010193963.tif 000017
【図１６】
2010193963.tif 000018
【図１７】
2010193963.tif 000019
【図１８】
2010193963.tif 000020
【図１９】
2010193963.tif 000021
【図２０】
2010193963.tif 000022
【図２１】
2010193963.tif 000023
【図２２】
2010193963.tif 000024
【図２３】
2010193963.tif 000025
【図２４】
2010193963.tif 000026
【図２５】
2010193963.tif 000027
【図２６】
2010193963.tif 000028
【図２７】
2010193963.tif 000029
【図２８】
2010193963.tif 000030
【図２９】
2010193963.tif 000031
【図３０】
2010193963.tif 000032
【図３１】
2010193963.tif 000033